【手続補正書】
【提出日】平成26年2月19日(2014.2.19)
【手続補正１】
【補正対象書類名】特許請求の範囲
【補正対象項目名】全文
【補正方法】変更
【補正の内容】
【特許請求の範囲】
【請求項１】
互いに接触した型閉じ及び互いに離間した型開きが可能な一組の金型と、
当該一組の金型の開閉方向へ移動可能な圧縮部材と、
前記開閉方向へ移動可能なエジェクターピンと、
前記型閉じ状態または前記型開き状態に応じて前記圧縮部材と前記エジェクターピンとを個別に移動させる動作分割機構と、を備え、
前記圧縮部材は、前記型閉じ状態において前記一組の金型間に形成される成形空間と前記開閉方向で対向し、
前記エジェクターピンは、前記圧縮部材と異なる位置で前記成形空間と前記開閉方向で対向し、
前記型閉じ状態では、前記動作分割機構は前記成形空間内へ射出された溶融樹脂が固化する前に、前記圧縮部材のみを前記成形空間内へ移動させて固化する前の前記溶融樹脂を圧縮して押し込み、前記溶融樹脂が固化した後に、前記圧縮部材のみを移動させて固化した前記溶融樹脂から離間させ、
前記型開き状態では、前記動作分割機構は前記エジェクターピンのみを移動させて、前記一組の金型のうち一方に接触している固化した前記溶融樹脂を押圧して前記一方の金型から取り出すことを特徴とする射出圧縮成形金型。
【請求項２】
互いに接触した型閉じ及び互いに離間した型開きが可能な一組の金型間に前記型閉じ状態において形成されている成形空間内へ、溶融樹脂を射出する射出工程と、
前記射出工程において前記成形空間内へ射出された前記溶融樹脂が固化する前に、前記金型の開閉方向へ移動可能であり且つ前記成形空間と前記開閉方向で対向する圧縮部材を成形空間内へ移動させて、固化する前の前記溶融樹脂を圧縮して押し込む圧縮部材前進工程と、
前記圧縮部材前進工程において固化する前の前記溶融樹脂を圧縮した前記圧縮部材を溶融樹脂が固化した後に移動させて、固化した前記溶融樹脂から離間させる圧縮部材後退工程と、
前記圧縮部材後退工程において固化した前記溶融樹脂から前記圧縮部材を離間させた状態で、前記開閉方向へ移動可能であり且つ前記圧縮部材と異なる位置で前記成形空間と前記開閉方向で対向するエジェクターピンを移動させて、前記一組の金型のうち一方に接触している固化した前記溶融樹脂を押圧して前記一方の金型から取り出すエジェクターピン前進工程と、を有することを特徴とする射出圧縮成形方法。
【請求項３】
互いに接触した型閉じ及び互いに離間した型開きが可能な一組の金型と、
当該一組の金型の開閉方向へ移動可能な移動部材と、
前記型閉じ状態または前記型開き状態に応じて前記移動部材移動させる駆動機構と、を備え、
前記移動部材は、前記型閉じ状態において前記一組の金型間に形成される成形空間と前記開閉方向で対向し、
前記型閉じ状態では、前記駆動機構は前記成形空間内へ射出された溶融樹脂が固化する前に、前記移動部材を前記成形空間内へ移動させて固化する前の前記溶融樹脂を圧縮して押し込み、前記溶融樹脂が固化した後に、前記移動部材を移動させて固化した前記溶融樹脂から離間させ、
前記型開き状態では、前記駆動機構は前記移動部材を移動させて、前記一組の金型のうち一方に接触している固化した前記溶融樹脂を押圧して前記一方の金型から取り出すことを特徴とする射出圧縮成形金型。
【請求項４】
互いに接触した型閉じ及び互いに離間した型開きが可能な一組の金型間に前記型閉じ状態において形成されている成形空間内へ、溶融樹脂を射出する射出工程と、
前記射出工程において前記成形空間内へ射出された前記溶融樹脂が固化する前に、前記金型の開閉方向へ移動可能であり且つ前記成形空間と前記開閉方向で対向する移動部材を成形空間内へ移動させて、固化する前の前記溶融樹脂を圧縮して押し込む移動部材前進工程と、
前記移動部材前進工程において固化する前の前記溶融樹脂を圧縮した前記移動部材を溶融樹脂が固化した後に移動させて、固化した前記溶融樹脂から離間させる移動部材後退工程と、
前記移動部材後退工程において固化した前記溶融樹脂から前記移動部材を離間させた状態で、前記開閉方向へ移動可能であり且つ前記移動部材と異なる位置で前記成形空間と前記開閉方向で対向する前記移動部材を移動させて、前記一組の金型のうち一方に接触している固化した前記溶融樹脂を押圧して前記一方の金型から取り出す移動部材前進工程と、を有することを特徴とする射出圧縮成形方法。
【手続補正２】
【補正対象書類名】明細書
【補正対象項目名】００１０
【補正方法】変更
【補正の内容】
【００１０】
このような構成により、固化する前の溶融樹脂を圧縮して押し込んで凹部を形成し、さらに、凹部が形成された溶融樹脂が固化した後に、圧縮部材のみを移動させて固化した溶融樹脂から離間させた状態で、エジェクターピンのみを移動させて、固化した溶融樹脂からなる成形品を、金型から取り出すことが可能となる。
これにより、成形品を金型から取り出す際に発生する、成形品のこすれを抑制することが可能となる。また、成形品のうち圧縮部材の側面に接触している部分が圧縮部材に食いついた場合であっても、成形品を金型から取り出す前に、圧縮部材を成形品から離間させることが可能となり、離型不良を抑制することが可能となる。
このため、固化する前の溶融樹脂を圧縮部材により圧縮しながら押し込んで形成した凹部を有する成形品の製造において、成形品の損傷を抑制して、成形品の品質低下を抑制することが可能となる。
また、本発明の一態様に係る射出圧縮成形金型は、互いに接触した型閉じ及び互いに離間した型開きが可能な一組の金型と、当該一組の金型の開閉方向へ移動可能な移動部材と、前記型閉じ状態または前記型開き状態に応じて前記移動部材移動させる駆動機構と、を備え、前記移動部材は、前記型閉じ状態において前記一組の金型間に形成される成形空間と前記開閉方向で対向し、前記型閉じ状態では、前記駆動機構は前記成形空間内へ射出された溶融樹脂が固化する前に、前記移動部材を前記成形空間内へ移動させて固化する前の前記溶融樹脂を圧縮して押し込み、前記溶融樹脂が固化した後に、前記移動部材を移動させて固化した前記溶融樹脂から離間させ、前記型開き状態では、前記駆動機構は前記移動部材を移動させて、前記一組の金型のうち一方に接触している固化した前記溶融樹脂を押圧して前記一方の金型から取り出すことを特徴とする。
また、本発明の一態様に係る射出圧縮成形方法は、互いに接触した型閉じ及び互いに離間した型開きが可能な一組の金型間に前記型閉じ状態において形成されている成形空間内へ、溶融樹脂を射出する射出工程と、前記射出工程において前記成形空間内へ射出された前記溶融樹脂が固化する前に、前記金型の開閉方向へ移動可能であり且つ前記成形空間と前記開閉方向で対向する移動部材を成形空間内へ移動させて、固化する前の前記溶融樹脂を圧縮して押し込む移動部材前進工程と、前記移動部材前進工程において固化する前の前記溶融樹脂を圧縮した前記移動部材を溶融樹脂が固化した後に移動させて、固化した前記溶融樹脂から離間させる移動部材後退工程と、前記移動部材後退工程において固化した前記溶融樹脂から前記移動部材を離間させた状態で、前記開閉方向へ移動可能であり且つ前記移動部材と異なる位置で前記成形空間と前記開閉方向で対向する前記移動部材を移動させて、前記一組の金型のうち一方に接触している固化した前記溶融樹脂を押圧して前記一方の金型から取り出す移動部材前進工程と、を有することを特徴とする。